(57)【要約】  【課題】    【解決手段】  本発明は、馬形状乗馬トレーナー（１０）および馬形状乗馬トレーナー（１０）の構築方法に関する。乗馬トレーナー（１０）は、馬形状乗馬構造体（１２）、凸型形状回転プラットフォーム（１６）、および馬形状乗馬構造体（１２）を凸型形状回転プラットフォーム（１６）に取り付けるための柱部（１４）を含む。  【選択図】      図１
2018526176.tif 000002
【特許請求の範囲】
【請求項１】
馬形状乗馬トレーナー（１０）であって、
馬形状乗馬構造体（１２）と、
凸型形状回転プラットフォーム（１６）と、
前記馬形状乗馬構造体（１２）を前記凸型形状回転プラットフォーム（１６）に取り付けるための柱部（１４）と
を有することを特徴とする馬形状乗馬トレーナー。
【請求項２】
請求項１記載の馬形状乗馬トレーナー（１０）において、前記馬形状乗馬構造体（１２）は、
乗り手（１８）が座るための上部（２０ａ）と、
前記乗り手（１８）の脚（１８ａ、１８ｂ）を支持する２つの傾斜側壁部（２０ｂ、２０ｃ）と
前記乗り手（１８）が前記馬形状乗馬構造体（１２）を把持し、前記上部（２０ａ）に跨るための把持部分（２２）と
を有することを特徴とする馬形状乗馬トレーナー。
【請求項３】
請求項２記載の馬形状乗馬トレーナー（１０）において、前記馬形状乗馬構造体（１２）は、
前記把持部分（２２）を含む前端部分（２２）を有する本体部（２０）と、
前記乗り手（１８）が前記本体部（２０）の上部（２０ａ）から滑り落ちないように前記本体部（２０）から斜め上方に延びている後端部分（２４）と
を有することを特徴とする馬形状乗馬トレーナー。
【請求項４】
請求項３記載の馬形状乗馬トレーナー（１０）において、前記把持部分（２２）は、前記乗り手（１８）の手（１８ｃ）を挿入するための、前記前端部分（２２）を貫通する開口部（２２ａ）を有し、これにより、更に確実に把持することが可能となる
ことを特徴とする馬形状乗馬トレーナー。
【請求項５】
請求項１記載の馬形状乗馬トレーナー（１０）において、前記凸型形状回転プラットフォームに前記馬形状乗馬構造体（１２）を取り付けるための前記柱部（１４）は、
長さ方向に沿って複数の開口部（３０）を有する細長い調整自在な柱部（２８）と、
前記細長い調整自在な柱部（２８）を受け入れるための開口部を一端部（３２ａ）に備える、中空柱保持部（３２）と
を有することを特徴とする馬形状乗馬トレーナー。
【請求項６】
請求項５記載の馬形状乗馬トレーナー（１０）において、前記凸型形状回転プラットフォーム（１６）に前記馬形状乗馬構造体（１２）を取り付けるための前記柱部（１４）は、
前記本体部の下側に取り付けるために前記細長い調整自在な柱部（２８）の一端部に固定される第一の板部（４０）と、
前記中空柱保持部を前記凸型形状回転プラットフォーム（１６）に取り付けるために開放端から前記中空柱部の反対側端部に固定される第二の板部（４６）と
を有することを特徴とする馬形状乗馬トレーナー。
【請求項７】
請求項６記載の馬形状乗馬トレーナー（１０）において、前記凸型形状回転プラットフォーム（１６）は、
内部に鋳型成形された下部板集合体（３５）を有する鋳型成形された弾性材料からなる凸型半球状底部支持部（３４）を
有することを特徴とする馬形状乗馬トレーナー。
【請求項８】
請求項７記載の馬形状乗馬トレーナー（１０）において、前記下部板集合体（３５）は、第三の支持板と、第一のディスク形状板（４０）と、第二のディスク形状板（４６）とを有することを特徴とする馬形状乗馬トレーナー。
【請求項９】
請求項８記載の馬形状乗馬トレーナー（１０）において、上部板集合体（４５）は、第二の支持板（２５）と、少なくとも第三のディスク形状板（５０）と、前記第三のディスク形状板（５０）に取り付けられた安定化耐摩耗リング（５２）とを有することを特徴とする馬形状乗馬トレーナー。
【請求項１０】
請求項９記載の馬形状乗馬トレーナー（１０）において、前記第三の支持板（５０）は、前記第二の支持板（４６）に固定されていることを特徴とする馬形状乗馬トレーナー。
【請求項１１】
請求項１０記載の馬形状乗馬トレーナー（１０）において、前記第三のディスク形状板（５０）、前記安定化耐摩耗リング（５２）、および第四のディスク形状板（６０）は、前記第二のディスク形状板（４６）に固定され、前記凸型形状回転プラットフォーム（１６）を形成することを特徴とする馬形状乗馬トレーナー。
【請求項１２】
請求項１１記載の馬形状乗馬トレーナー（１０）において、中心部内に開口部（７２）を有する第五のディスク形状板（７０）が、第四のディスク形状板（６０）の上面上部に配置されていることを特徴とする馬形状乗馬トレーナー。
【請求項１３】
請求項１０記載の馬形状乗馬トレーナー（１０）において、更に、
一端が前記細長い調整自在な柱部（２８）に固定され、第二の端部がストラップ取付装置（９６）に固定されている細長い軸（９２）を有することを特徴とする馬形状乗馬トレーナー。
【請求項１４】
請求項１３記載の馬形状乗馬トレーナー（１０）において、更に、
ストラップ取付装置（９６）に接続された第一のループ端（９１ａ、９１ｂ）を各々有するストラップ（９０ａ、９０ｂ）を有することを特徴とする馬形状乗馬トレーナー。
【請求項１５】
馬形状乗馬トレーナー（１０）を構築する方法であって、
馬形状乗馬構造体（１２）を提供する工程と、
凸型形状回転プラットフォーム（１６）を形成する工程と、
前記凸型形状回転プラットフォーム（１６）に前記馬形状乗馬構造体（１２）を取り付ける工程であって、前記凸型形状回転プラットフォーム（１６）は、長さ方向に沿って複数の開口部（３０）を有する細長い調整自在な柱部（２８）と、前記細長い調整自在な柱部（２８）を受け入れるための開口部を一端部（３２ａ）に備える、中空柱保持部（３２）と、前記中空柱保持部の反対側の端部（３２ｂ）に固定された第二の支持板とを有するものである、前記取り付ける工程と
を有することを特徴とする方法。
【請求項１６】
請求項１５記載の方法において、
第一のディスク形状板（４０）を第三の支持板上に配置し、第二のディスク形状板（４６）を前記第一のディスク形状板（４０）の上面に取り付けて、下方集合体（ｌｏｗｅｒ  ｂｕｎｄｌｅ）（３５）を形成することにより、前記凸型形状回転プラットフォーム（１６）を構築する工程と、
ゴムを用いて前記下方集合体（３５）を前記凸型形状回転プラットフォーム（１６）に鋳型成形する工程と
を有することを特徴とする方法。
【請求項１７】
請求項１６記載の方法において、
前記中空柱保持部（３２）の前記第二の支持板（４６）を前記下方集合体（３５）の第二のディスク形状板（４６）に取り付ける工程と、
前記第二の支持板（４６）を前記第三の支持板（５０）に固定する工程と
を有することを特徴とする方法。
【請求項１８】
請求項１６記載の方法において、更に、
前記第三のディスク形状板（５０）を前記柱保持部（３２）に接続された前記第二の支持板（４６）に配置する工程と、
安定化耐摩耗性リング（５２）を第四のディスク形状板（６０）に取り付ける工程とを含む、上部板集合体（４５）を形成する工程と
を有することを特徴とする方法。
【請求項１９】
請求項１８記載の方法において、更に、
前記柱保持部（３２）が第五のディスク形状板（７０）の上部に延びるように、中心部に開口部（７２）を有する前記第五のディスク形状板（７０）を前記第四のディスク形状板（６０）の上面に配置する工程を有することを特徴とする方法。
【請求項２０】
請求項１９記載の方法において、更に、
前記細長い調整自在な柱部（２８）の第一の端部を前記馬形状乗馬構造体（１２）に取り付ける工程と、
前記細長い調整自在な柱部（２８）の第二の端部を前記柱保持部（３２）に挿入する工程と
を有することを特徴とする方法。
【発明の詳細な説明】
【技術分野】
【０００１】
本発明は、一般的に、馬形状乗馬トレーナーに関する。特に、本発明は、馬形状乗馬トレーナー構造体、凸型形状回転プラットフォーム、および馬形状乗馬トレーナー構造体を凸型形状回転プラットフォームに取り付けるための柱部に関する。
【背景技術】
【０００２】
乗馬は、何世紀にもわたって、全世界で、冒険家達の想像力を掻き立ててきた。古代ギリシャおよびローマにおいて、馬は権力の象徴であった。中世のヨーロッパおよび日本では、馬は長距離間の迅速な行動に必須であったし、戦争に使用されることも頻繁であった。アメリカの西部フロンティア時代においては、馬はいつもカウボーイの仲間であり、独立独行および冒険の象徴でもあった。経験豊かな乗り手が実際の馬を全速力で駆けさせるときの喜びと興奮に比較できる経験はほとんどないが、我々の多くは十分な訓練も経験も、および／または生きた馬に容易に近づく機会も有していない。
【０００３】
一般的に知られていることであるが、バランスを学習し、落馬を予防し、背中と脚の筋肉を訓練して力を付けるためには、乗馬は実際に練習しなければならない。現在、バランスの取れた姿勢で、歩行、トロット、およびキャンタを学習する一般的な方法は馬に乗って技術を訓練することである。しかし、乗馬の学習に興味ある人には訓練用の馬が利用できない場合があり、馬を所有している人には、悪天候、馬の病気、あるいはその他の理由で訓練できない場合がある。更に、乗り手が初心者の場合、バランスの取れた姿勢で、歩行、トロット、およびキャンタが完全にできるようになり、安全な状態で乗馬ができるようになるには、何時間もの練習が必要となる。初心者にとって、生きた馬しか利用できないことの欠点は、初心者の技術が未熟なので、馬と乗り手との間に要求されるバランス／調整の基本を学んでいる間に、落馬して怪我をする可能性のリスクが大きいことである。本発明がなされるまで、乗馬を学ぶ学生が乗馬のレッスンとレッスンの間に乗馬の技術を練習したり、力およびバランスを取得したりするための経済的な装置は存在していなかった。
【発明の概要】
【課題を解決するための手段】
【０００４】
本発明の１つの実施形態において、馬形状乗馬トレーナーが開示される。当該乗馬トレーナは、馬形状乗馬構造体と、凸型形状回転プラットフォームと、馬形状乗馬構造体を凸型形状回転プラットフォームに取り付けるための柱部とを含む。
【０００５】
本発明の別の実施形態において、馬形状乗馬トレーナーの構築方法が開示される。当該方法は馬形状乗馬構造体を提供する工程を含む。当該方法は、更に、凸型形状回転プラットフォームを形成する工程を含む。最後に、当該方法は、長さ方向に沿って複数の開口部を有する細長い調整自在な柱部と、細長い調整自在な柱部を受け入れるための開口部を一端部に備える、中空柱保持部と、前記中空柱保持部の反対側の端部に固定された第二の支持板とを有するものである、前記取り付ける工程とを含む。
【図面の簡単な説明】
【０００６】
本発明の構造、操作、および特長は、添付の図面と合わせて以下の記載を考慮することにより更に明白となるであろう。図面は例示的／非制限的であることが意図されている。いくつかの図面の特定の要素は、図を明確にするため、省かれている場合がある、あるいは原寸に比例していない場合がある。断面図は、図を明確にするため、「スライス状」または「近視眼的」断面図であり、「真の」断面図では見ることができるいくつかの背景線が省かれている場合がある。
【０００７】
以下の記載を伴う図面において、要素を特定するのに符号と説明文（ラベル、テキスト記述）の両方が使用される場合がある。説明文が提供される場合、それは読者の理解を助けることを意図しているに過ぎず、決して制限的に解釈されるべきものではない。
【図１】図１は、本発明による乗馬トレーナーの三次元的前面図である。
【図２】図２は、本発明による乗馬トレーナーの構成要素の分解図である。
【図２Ａ】図２Ａは、本発明による凸型形状回転プラットフォームを示す断面図である。
【図３】図３は、乗り手が使用中の本発明による乗馬トレーナーの三次元的前面図である。
【図４】図４は、本発明による手綱付き乗馬トレーナーの三次元的前面図である。
【図５】図５は、本発明による手綱付き乗馬トレーナーの三次元的底部分解図である。
【発明を実施するための形態】
【０００８】
本発明の十分な理解を提供するため、以下の記載において、数多くの詳細な点が説明されている。本発明の結果を達成しながら、斯かる特定の詳細情報を変更するのが可能であることは、当業者には理解されるであろう。本発明の記載を不必要に曖昧にするのを避けるため、一般的に、周知の処理工程は詳細には記載されていない。
【０００９】
以下の記載において、例示的な寸法が本発明の例示的実施形態で示されている場合がある。寸法は限定的に解釈されるべきではない。寸法は、釣り合い感覚を提供するために含まれている。一般的に言って、重要なのは、種々の要素間の関係、配置されている場所、対比的な構成、あるいは相対的サイズである。
【００１０】
以下の記載に添付の図面において、要素を特定するのに、符号と説明文（ラベル、テキスト記述）の両方が使用される場合が多い。説明文が提供される場合、それは読者の理解を助けることを意図しているに過ぎず、決して制限的に解釈されるべきものではない。
【００１１】
乗馬技術を改善したいと願っている人達は、その適合性を維持し、乗馬技術を実践および改善するには、定期的に乗馬を行う必要がある。しかし、乗り手が適合性を維持し技術を実践するのに必要な乗馬を実践するのは、必ずしも可能であるとは言えない。実際、悪天候条件下では、馬および／または乗り手に重症を負わせるリスクなしに乗馬をするのは不可能かもしれない。怪我から回復しつつある乗り手にとっても重大な問題である。回復しつつある乗り手が十分回復していない状態で乗馬をするのは危険なだけではない。怪我した部分を十分に訓練して力を回復するのは、乗り手にとって必要なことであるかもしれない。
【００１２】
馬形状乗馬トレーナー１０は、乗馬を模倣するのに使用されるタイプのフィットネス機器として設計してある。馬形状乗馬トレーナー１０は、新陳代謝を促進し、個人をより細身で健康にする自然な身体運動を提供する。一般的に言って、馬形状乗馬トレーナー１０は柱部１４に固定された馬形状構造体１２を取り入れており、該柱部は凸型形状回転プラットフォーム１６に取り付けられている。乗り手は、馬形状乗馬トレーナー１０を利用している間、落ちないで、馬形状構造体１２上に座り続けるよう試みなければならない。斯かる活動は、乗り手を強化並びに条件化し、いくつかの筋肉群を活性化して乗り手の適合性を向上させる効果がある。更に、乗馬トレーナー１０上で安定を維持しようとする練習は、心臓血管のトレーニングとしても機能する。乗馬トレーナー１０の使用は、乗り手にとって、実際の馬を必要とせずに、鞍の操作技術および位置決めを実践できるという追加の恩恵を有している。これは、生きた馬を利用するのが困難または不可能である状態においては、非常に貴重なことである。
【００１３】
図１に示されるように、馬形状乗馬トレーナー１０は、馬形状乗馬構造体１２、柱部１４、および凸型形状回転プラットフォーム１６から成っている。馬形状乗馬トレーナー１０は、通常、木材、革、金属、ゴム、プラスチック、または斯かる材料の組み合わせから成る。
【００１４】
図３に示されるように、乗り手１８は、実際の馬の場合と同様に、馬形状乗馬トレーナー１０に跨る。馬形状乗馬構造体１２は、実際の馬の形状を真似て形作られている。馬形状乗馬構造体１２は、前端部２２および後端部２４を有する本体部２０から成る。馬形状乗馬構造体１２は適切な任意の寸法を有していてもよいが、様々な大きさの乗り手１８の体重を支えるのに十分な頑丈さでなければならない。あるいは、馬形状乗馬トレーナー１０は様々なサイズの馬形状乗馬構造体１２を有していてもよく、そうすれば、乗り手１８は、必要に応じて馬形状乗馬構造体のサイズをカスタマイズできる。
【００１５】
馬形状乗馬構造体１２は馬の背中の形状をしているので、鞍をその上に載せることが可能である。加えて、馬形状乗馬構造体１２の表面は実質的に滑らかなので、鞍を置かないで乗ることも可能である。ある場合には、乗馬をより快適なものにするため、馬形状乗馬構造体１２の表面に毛布を置いてもよい。
【００１６】
図３に示されるように、本体部２０は、乗り手１８が座る上部２０ａと、乗り手１８のそれぞれの脚１８ａおよび１８ｂを支える２つの傾斜側壁部２０ｂおよび２０ｃとを含んでいる。馬形状構造体１２の前端部２２は把持部として機能し、それにより乗り手１８は、使用中の馬形状構造体を把持し、跨っている自分自身を支えることができる。乗り手１８が自分の手１８ｃを挿入し更にしっかりと握るため、前端部２２には開口部２２ａがあってもよい。後端部２４は本体部２０から上方に傾斜して延びている。後端部２４は、一般的に、乗り手１８が本体部２０の上部２０ａから滑り落ちないように設計してある。
【００１７】
図２に示されるように、馬形状構造体１２の下側２０ｄは第一の板部２６に固定されており、第一の板部は、第一の上部端２８ａで、細長い調整自在な柱部２８上に永久的に配置されている。ネジまたは他の付属装置（例えば釘）を用いて、馬形状構造体１２の下側２０ｄに取り付けられた装着ブロック２７に第一の板部２６をしっかりと固定できるよう、当該第一の板部内には開口部２６ａ、２６ｂ、２６ｃ、および２６ｄが存在するのが好ましい。第一の板部２６は通常は金属製であるが、その他任意の強固な素材製であってもよい。調整自在な柱部２８は、通常、長方形であり、４つの壁２９ａ、２９ｂ、２９ｃ、および２９ｄ（２９ａ〜２９ｄ）の各長さに沿って延びる複数の開口部３０を含んでいる。壁２９ａ〜２９ｄの各開口部３０は互いに整列し合っている。柱部２８は適切な任意の寸法を有していてもよく、例えば、高さは１０〜３６インチの範囲、幅は１〜２．５インチの範囲であってよい。
【００１８】
柱部１４は、細長い調整自在な柱部２８と、中空柱保持部３２とを含んでおり、柱保持部は、一端部３２ａに開口部を有し、それは調整自在な柱部２８を受け入れる形状になっている。柱保持部３２の反対側の端部３２ｂには、正方形または長方形の支持板２５が取り付けられており、該支持板は、通常、好ましくは各角に開口部２５ａ、２５ｂ、２５ｃ、および２５ｄ（２５ａ〜２５ｄ）を有する金属製である。該支持板２５は通常は金属製であるが、その他任意の強固な素材製であってもよい。
【００１９】
凸型形状回転プラットフォーム１６は、図２Ａに示されるように、凸型形状の半球体底部支持部３４を含んでおり、当該底部支持部は、鋳型成形された弾力性素材製（例えば、エラストマー製またはゴム製）であり、内部に鋳型成形された下部板集合体３５を有する。下部板集合体３５は、金属板３３と、第一のディスク形状板４０と、第二のディスク形状板４６とを含む。
【００２０】
金属支持板３３は、該金属板の各角に４つの開口部３３ａ、３３ｂ、３３ｃ、および３３ｄを有する。４つのボルト３７ａ、３７ｂ、３７ｃ、および３７ｄ（３７ａ〜３７ｄ）が孔を通して上部に延び、支持板３３の上部に突き出ている。金属板３３は、以下に述べるように、凸型形状回転プラットフォーム１６の製造を助けるため、中央開口部３３ｅを有している。
【００２１】
金属板３３の直ぐ上には、４つの孔４０ａ、４０ｂ、４０ｃ、および４０ｄ（４０ａ〜４０ｄ）を有する第一のディスク形状板４０があり、図２Ａに示されるように、当該孔を通して４つのボルト３７ａ〜３７ｄが突き出ている。第一のディスク形状板４０は、６〜１８インチの範囲の直径を有している。第一のディスク形状板４０の中心には、以下に述べるように、底部支持部３４の製造を助けるため、任意の望ましい形状（例えば円形）を有する開口部４１が存在する。
【００２２】
底部支持部３４は、第一のディスク形状板４０の直ぐ上に位置する第二のディスク形状板４６を有する。第二のディスク形状板４６は、１０〜３６インチの範囲の直径を有している。任意の望ましい形状（例えば円形）を有する板４６には中心開口部４７がある。更に、第二のディスク形状板４６に形成され、以下に述べるように、４つのボルト３７ａ〜３７ｄが通過できるように位置付けられた４つの孔４８ａ、４８ｂ、４８ｃ、および４８ｄ（４８ａ〜４８ｄ）がある。ディスク形状板４６には、以下に述べるように、ネジ５４を受け入れるための孔４９をいくつか含んでもよい。
【００２３】
図２Ａに示されるように、凸型形状回転プラットフォーム１６は、鋳型（図示しない）の底部に４つの開口部３３ａ〜３３ｄを通して延伸させるボルト３７ａ〜３７ｄを用いて、底部支持部板３４を配置することにより構築される。次に、第一のディスク形状板４０を金属板３４の上面に載せ、４つのボルト３７ａ〜３７ｄを孔４０ａ〜４０ｄから上方に突出させる。次に、第二のディスク形状板４６を第一のディスク形状板４０上に載せ、４つのボルト３７ａ〜３７ｄを孔４０ａ〜４０ｄから上方に突出させる。
【００２４】
次の工程として、液状のエラストマーまたはゴムを、例えば、第二のディスク形状板４６、第一のディスク形状板４０、および支持板３３のそれぞれの孔４７、４１、および３３ｅを通して鋳型内に注入し、鋳型および板集合体の周りの空間にゴムを充填し、凸型形状回転プラットフォーム１６を形成する。
【００２５】
上部板集合体４５は、金属支持板２５と、第三のディスク形状板５０と、安定化耐摩耗性リング５２と、第四のディスク形状板６０と、第五のディスク形状板７０とを含む。
【００２６】
第三のディスク形状板５０は複数の開口部５３を含み、ディスク形状板４６にネジ５４で固定できる。ネジ５４は孔５３を通って延び、ディスク形状板４６の孔４９（第三のディスク形状板５０の複数の開口部５３に対応する位置に配置されており、それを通してネジ５４が配置される）に取り付けられる。第三のディスク形状板５０は、１２〜４８インチの範囲の直径を有する。柱保持部３２の末端３２ｂに配置される金属板２５に形状的に対応する開口部５６が、第三のディスク形状板５０内に設けられている。第三のディスク形状板５０を第二のディスク形状板４６に固定すると、４つのボルト３７ａ〜３７ｄが開口部５６を通して突出する。
【００２７】
複数の開口部６２を有する第四のディスク形状板６０をネジ５４で第三のディスク形状板５０に固定できる。ネジ５４は開口部６２を通って延び、ディスク形状板５０の孔５２（第四のディスク形状板６０に散らばっている複数の開口部６２に対応する位置に配置されており、それを通してネジ５４が配置される）に取り付けられる。第四のディスク形状板６０は、１２〜４８インチの範囲の直径を有する。柱保持部３２の末端３２ｂに配置される金属板３３に形状的に対応する開口部６４が、第四のディスク形状板６０内に設けられている。第四のディスク形状板６０を第三のディスク形状板５０に固定すると、４つのボルト３７ａ〜３７ｄが開口部６４を通して突出する。
【００２８】
安定化耐摩耗性リング５２は、通常、木製、プラスチック製、および／またはゴム製であり、第三のディスク形状板５０と第四のディスク形状板６０の間に配置される。第四のディスク形状板６０には、連続リングパターン状に散らばっている複数の開口部６６があり、それを通してネジ６６が配置され、第四のディスク形状板６０を安定化耐摩耗性リング５２にしっかりと取り付けている。安定化耐摩耗性リング５２は、乗り手１８がコントロールを失っても馬形状乗馬トレーナー１０がひっくり返らないように設計されている。乗馬トレーナー１０に許されるだけの所定の傾きが設定してある。安定化耐摩耗性リング５２の円周は様々（３８〜１５０インチ）であってよい。実際的には、安定化耐摩耗性リング５２の円周が大きければ大きいほど、乗馬トレーナー１０の傾斜能力は小さくなる。従って、経験の少ない乗馬トレーナー１０の乗り手１８にとっては、一般的に、安定化耐摩耗性リング５２の円周は大きい方が好ましい。より大きいリング形状面５２ａを有する安定化耐摩耗性リング５２を利用することにより、これは達成できる。
【００２９】
安定化耐摩耗性リング５２は容易に交換可能であるのが好ましい。すなわち、乗り手１８が経験を積むに伴い、乗馬トレーナー１０を更に挑戦的にするような別の安定化リングに交換してもよい。図示されているように、安定化耐摩耗性リング５２は複数の開口部６６（第四のディスク形状板６０全体に散らばっている複数の開口部６２に対応しており、それを通してネジ６６が配置される）を有している。
【００３０】
中間に安定化耐摩耗性リング５２を配置してから、第四のディスク形状板６０を第三のディスク形状板５０に固定した後、３つの構成要素６０、５０、および５２を第二のディスク形状板４６に固定し、凸型形状回転プラットフォーム１６を形成してもよい。次に、柱保持部３２が凸型形状回転プラットフォーム１６にしっかりと取り付けられるように、柱保持部３２の末端にある板２５を第四のディスク形状板６０内の開口部６４および第三のディスク形状板５０内の開口部５６を通して配置し、ボルト３７ａ〜３７ｃにしっかりと取り付ける。
【００３１】
次に、第五のディスク形状板７０をその中心内にある開口部７２（柱保持部３２の断面に対応する断面を有するのが好ましい）を通して柱保持部３２上に滑動／配置する。第五のディスク形状板７０の下側７３は第四のディスク形状板６０の上面に位置する。第五のディスク形状板７０の上面７０ａは、開口部７２を例外として一般的に滑らかであり、美的に好ましいように設計されており、以下に述べるように、他の種々のディスク形状板を覆っている。第五のディスク形状板７０は１４〜５０インチの範囲の直径を有している。第五のディスク形状板７０は、任意の望ましい材料、例えばプラスチック、金属などを使用してもよいが、一般的には木製である。
【００３２】
柱保持部３２の第一の上部末端において、柱部２８の第二の底部末端２８ｂが対応する開口部３２ａを通して挿入される。柱保持部３２は、柱部２８が柱保持部内にしっかりと封じ込められるように柱部と大体同じ高さであり、柱部の形状も反映している。柱保持部３２は柱部全体に１つ以上の孔３２ａを有している。斯かる孔３２ａは柱部２８上の複数の開口部３０に大きさ／寸法面で対応している。柱部２８を柱保持部３２の第一の上部末端３２ａに挿入した後、柱部を望ましい高さに上げ、または下げ、柱保持部３２の開口部３２ａ並びに柱部２８内の望ましい開口部３０を通してペッグまたはボルト３９を挿入することにより、柱部を種々の高さに滑動可能に調整できる。柱保持部３２に対して柱部２８の高さを調整することにより、柱部１４の上の馬形状構造体１２の位置が、様々な身長の乗り手１８に対応するように調整される。
【００３３】
図４および図５は鞍トレーナー１０の任意選択の実施形態であり、それには手綱またはストラップ９０が用いられている。細長い軸９２が柱部２８に固定されており、乗り手１８が把持し本物の馬に乗る経験を模倣するため、該柱部は手綱９０に取り付けられている。柱部２８にボルト９６で締められた第一の接続棒９４が存在する。ボルト９６は、開口部３０を通して柱部２８へ取り付けられ、次に細長い軸９２の末端に接続された接続棒９４へ取り付けられている。接続棒９４は軸２８の壁２９ａ〜２９ｄの各々に沿って延びた対応する任意の開口部３０に取り付けることができるので、手綱９０の高さは容易に調整自在である。細長い軸９２は任意の望ましい長さ（１２〜４８インチの範囲）であってよい。細長い軸９２は、任意の望ましいやり方（例えば、溶接）で接続棒９４に取り付けられる。一般的に、細長い軸９２はストラップ取付装置９６に到達するまで下向きに傾斜しており、該ストラップ取付装置において、ストラップ取付装置の要素である第二の接続棒９６ａに取り付けられている。ストラップ取付装置９６は２つの同一のストラップ取付要素９７ａおよび９７ｂを有しており、該要素は各々ストラップ取付装置の中央部分９６ｂから延びている。ストラップ取付要素９７ａおよび９７ｂはそれぞれ開口部９８ａおよび９８ｂを有しており、該開口部にストラップまたは手綱９０ａおよび９０ｂがそれぞれ取り付けられている。
【００３４】
ストラップ９０は、通常、革製または繊維製であり、２４〜９６インチの範囲の長さを有している。ストラップ９０ａおよび９０ｂは、それぞれ第一の末端９１ａおよび９１ｂ並びに第二の末端９１ｃおよび９１ｄを有している。第一の末端９１ａおよび９１ｂの各々はループ状に形成されているので、第一の末端および第二の末端は、それぞれストラップ取付要素９７ａおよび９７ｂの開口部９８ａおよび９８ｂを通過し固定される。ストラップ９０ａおよび９０ｂの位置を維持するため、加重マウント１００ａおよび１００ｂがそれぞれ第一の末端９１ａおよび９１ｂに隣接して配置されている。ストラップは、任意の望ましいやり方（例えば、図示しない鞍への取り付け）で、鞍トレーナー１０の本体部２０に固定してもよい。
【００３５】
馬形状乗馬トレーナー１０は、作動中、独自の動きを通してユニークな神経筋への刺激を提供する。乗り手の骨盤は、乗馬中と同類の回転運動および左右の動きに合わせて移動する。「家庭馬」への乗馬は、優しい反復運動を可能とする。乗り手は、体全体および自然な体の動きを用いてバランスを制御／維持し、望ましいリズミカルな骨盤運動を達成する。馬形状乗馬トレーナー１０の乗り手は、柔軟性の改善、中心筋肉の強化、およびバランスの改善を達成することが多い。乗り手は馬形状乗馬トレーナー１０上で以下のようにして体を位置付ける。  
１．乗り手は、前向きに、手用の切り抜き部２２ａを有する馬形状構造体１２の中央に座る。  
２．胴体部分は自然な垂直位置にある。  
３．骨盤は少し前向きに傾いている。  
４．体重は坐骨にかかっている。  
５．背中は自然な曲線状態に維持される。  
６．頭は垂直に維持されるが、肩の上で硬直した状態にはない。  
７．胸は開いているが、張り出してはいない。  
８．脚は下に延びているが、膝は内向きに硬直してはいない。  
９．下肢部はリラックスしており、足は平らで、足指は僅かに上向きである。  
１０．肩、腰、および踵は垂直線を形成すべきである。  
１１．乗り手は今や重心位置にあるべきである。乗り手は、じっと座り、馬形状乗馬トレーナー１０が中心位置にあるならば、自分が正しい位置にあることを知るはずである。  
１２．次に、乗り手は、腰を脚および胴体上部から切り離して前後へ動かす。慣れるに従い、乗り手はいずれの方向にも優しくしかも快適に動かせるようになる。
【００３６】
馬形状乗馬トレーナー１０は以下の練習に使用できる。  
乗り降りする。  
バランス良く座る。  
前向きに揺り動かす。  
後ろ向きに揺り動かす。  
横向きに揺り動かす。  
３６０度揺り動かす。  
両腕を頭上に伸ばす。  
両腕を横方向に伸ばす。  
棒または棒状の物を両手に握りながら、両腕を前に伸ばし、次に頭上に伸ばす。  
両腕を前後に交互に揺する。  
両腕を伸ばしたまま胴体を回転させる。  
左右に回転させながらプラットフォームに立つ。  
座ったまま左右に回転させる。  
下向きに移動し、左右の下肢部に触れる。
【００３７】
更に高度な練習には、鞍、鐙、および手綱を付けて座った位置で乗ること、ジャンプ位置で乗ること、上述の練習のいくつかを両位置で行うことが含まれる。
【００３８】
本発明はいくつかの好ましい実施形態に関して記載されているが、当業者は、本明細書および添付の図面を読み理解するにあたり、いくつかの同等の変更および修正に想到するであろう。特に、上述の構成要素（アセンブリ、装置など）によって実行される種々の機能に関し、特別の記載がない限り、斯かる構成要素を記載するのに使用される用語（「手段」への言及も含む）は、本明細書記載の本発明の例示的実施形態の機能を実行する開示された構造体に構造的に同等でなくても、本明細書記載の構成要素の特定の機能を実行する任意の構成要素（すなわち機能的な等価物）にも対応していることが意図されている。加えて、いくつかの実施形態のうち１つだけに関して本発明の特定の特徴が開示されていたとしても、斯かる特徴は、任意の所定のアプリケーションまたは特定のアプリケーションにとって望ましく有利であるように、残りの実施形態の１つ以上の特徴と組み合わされてもよい。
【図１】
2018526176.tif 000003
【図２】
2018526176.tif 000004
【図２Ａ】
2018526176.tif 000005
【図３】
2018526176.tif 000006
【図４】
2018526176.tif 000007
【図５】
2018526176.tif 000008
【国際調査報告】
2018526176.tif 000009